(57)【要約】【課題】移動機の使用状況に応じた使用アンテナの事前設定を不要としつつ、外部環境からの影響の少ない適切なアンテナを選択する。【解決手段】複数のアンテナ１、２を備えた移動機２０において、使用中アンテナから移動機内へ反射してくる反射波の大きさ（例えば反射波電圧値Vｒ）を検出する電圧検出回路８と、検出される使用中アンテナについての反射波の大きさに相関する所定の物理量（例えば検波電圧値Ｖｏに対する反射波電圧値Vｒの比率（即ち、電圧比Ｖｒ／Ｖｏ））、該電圧比に関するしきい値、及び、代替アンテナに一時的に切り替えられた場合の代替アンテナについての上記所定の物理量に基づいて、送信に使用されるアンテナを選択するアンテナ選択部９と、送信に使用されるアンテナを上記選択されたアンテナに切り替えるアンテナ切替器５と、を設けた。【選択図】図２
2008306575.tif 000002
【特許請求の範囲】
【請求項１】
複数のアンテナを備えた移動機であって、
前記複数のアンテナのうち送信に使用されている使用中アンテナから前記移動機内へ反射してくる反射波の大きさを検出する検出回路と、
前記検出回路により検出される前記使用中アンテナについての前記反射波の大きさに相関する所定の物理量、該所定の物理量に関するしきい値、及び、前記使用中アンテナが該使用中アンテナ以外の代替アンテナに一時的に切り替えられた場合に前記検出回路により検出される該代替アンテナについての前記反射波の大きさに相関する所定の物理量に基づいて、送信に使用されるアンテナを選択するアンテナ選択部と、
送信に使用されるアンテナを、前記アンテナ選択部により選択されたアンテナに切り替えるアンテナ切替器と、
を備えた移動機。
【請求項２】
前記移動機は、送信電力に応じた検波電圧値を測定する検波器をさらに備え、
前記検出回路は、前記反射波についての反射波電圧値を検出し、
前記アンテナ切替判定回路は、前記所定の物理量として、前記検波電圧値に対する前記反射波電圧値の比率を用いることで、前記使用中アンテナについての当該比率、当該比率に関するしきい値、及び、前記代替アンテナについての当該比率に基づいて、前記送信に使用されるアンテナを選択する、
ことを特徴とする請求項１に記載の移動機。
【請求項３】
移動機に設けられた複数のアンテナ間で、送信に使用されるアンテナを切り替えるためのアンテナ切替制御方法であって、
前記移動機が、前記複数のアンテナのうち送信に使用されている使用中アンテナから前記移動機内へ反射してくる反射波の大きさを検出する検出ステップと、
前記移動機が、前記検出ステップにて検出される前記使用中アンテナについての前記反射波の大きさに相関する所定の物理量、該所定の物理量に関するしきい値、及び、前記使用中アンテナが該使用中アンテナ以外の代替アンテナに一時的に切り替えられた場合の該代替アンテナについての前記反射波の大きさに相関する所定の物理量に基づいて、送信に使用されるアンテナを選択する選択ステップと、
前記移動機が、送信に使用されるアンテナを、前記選択ステップにて選択されたアンテナに切り替える切替ステップと、
を有するアンテナ切替制御方法。
【発明の詳細な説明】
【技術分野】
【０００１】
本発明は、複数のアンテナを備えた移動機、及び、移動機に設けられた複数のアンテナ間で、送信に使用されるアンテナを切り替えるためのアンテナ切替制御方法に関する。
【背景技術】
【０００２】
移動機の使用に関し人体からの影響を回避する手法として、移動機の同一筐体内に複数のアンテナを搭載し、音声通話やデータ通信等の呼種及び移動機の開閉状態（即ち、折り畳まれている状態や開いた状態等）に基づいて、使用するアンテナを切り替える装置が知られている（下記の特許文献１参照）。
【０００３】
通常、ユーザは音声通話時に移動機内の上側部スピーカを頭部に接触させて使用するため、頭部と接触しない移動機下側部に搭載されたアンテナを選択する方が放射効率の高い場合が多い。一方、ユーザは電子メールやブラウザの利用時に移動機下側部のキーボード面に接触するため、移動機上側部に搭載されたアンテナを選択した方が放射効率の高い場合が多い。また、折り畳み型の移動機では、閉じられている状態と開いている状態では、放射効率の高いアンテナが異なる場合がある。よって、使用状況に応じて適切と思われるアンテナをあらかじめ想定し移動機の設計時に設定しておくことにより、移動機の使用時に呼種や開閉状態を検知し、該検知結果に基づいて適切なアンテナを選択することができる。
【０００４】
一方、外部からの影響によりインピーダンスが変化している送信アンテナを選択した場合、電力増幅器とアンテナ間に不整合が生じ、すべての送信波が空中へ放出されずに、アンテナから移動機内の電力増幅器へ戻ってくる反射波が発生してしまう。このような反射波は電力増幅器の効率低下および破壊を招く場合があるため、移動機では上記反射波の影響を防ぐために、通常、電力増幅器とアンテナの間にアイソレータが挿入されている。例えば、図１に示す移動機５０に設けられたアイソレータ５６は、３端子の方向性通過特性を有するサーキュレータ５７と終端抵抗５６Ａにより構成されている。サーキュレータ５７において信号は端子Ａから端子Ｂへの方向、端子Ｂから端子Ｃへの方向、端子Ｃから端子Ａへの方向には通過するが、これらの逆方向には通過しないよう構成されている。このサーキュレータ５７の端子Ｃが終端抵抗５６Ａにより終端される構成とすることで、アンテナ５１、５２からの反射波を終端抵抗５６Ａで吸収する仕組みとなっている。
【特許文献１】特開２００４−３２８１７２号公報
【発明の開示】
【発明が解決しようとする課題】
【０００５】
しかしながら、上記従来技術に係る移動機のアンテナ切替については、以下に示すような問題点があった。即ち、上記従来技術に係る移動機のアンテナ切替では，音声通信やデータ通信などの使用状況をあらかじめ想定し設定された情報に基づいてアンテナ切替を行っているため、仮に移動機が想定通りに使用されない場合には、外部からの影響により放射効率が低下しているアンテナを選択してしまう場合がありうる。放射効率が低下しているアンテナを使用すると、通信の品質を低下させるだけではなく、余計な送信電力を必要としバッテリの消費電力を増加させるため、バッテリ使用可能時間の短縮及び電力増幅器の発熱量の増加といった問題があった。また、上記従来技術では、移動機のさまざまな使用状況をあらかじめ想定し、該使用状況に応じて、使用するアンテナを設定しておく必要があった。
【０００６】
本発明は、上記問題点を解決し、移動機の使用状況に応じた使用アンテナの事前設定を不要としつつ、外部環境からの影響の少ない適切なアンテナを選択することを目的とする。
【課題を解決するための手段】
【０００７】
上記目的を達成するために、本発明に係る移動機は、複数のアンテナを備えた移動機であって、複数のアンテナのうち送信に使用されている使用中アンテナから移動機内へ反射してくる反射波の大きさを検出する検出回路と、検出回路により検出される使用中アンテナについての反射波の大きさに相関する所定の物理量、該所定の物理量に関するしきい値、及び、使用中アンテナが該使用中アンテナ以外の代替アンテナに一時的に切り替えられた場合に検出回路により検出される該代替アンテナについての反射波の大きさに相関する所定の物理量に基づいて、送信に使用されるアンテナを選択するアンテナ選択部と、送信に使用されるアンテナを、アンテナ選択部により選択されたアンテナに切り替えるアンテナ切替器と、を備えたことを特徴とする。
【０００８】
また、上記目的を達成するために、本発明に係るアンテナ切替制御方法は、移動機に設けられた複数のアンテナ間で、送信に使用されるアンテナを切り替えるためのアンテナ切替制御方法であって、移動機が、複数のアンテナのうち送信に使用されている使用中アンテナから移動機内へ反射してくる反射波の大きさを検出する検出ステップと、移動機が、検出ステップにて検出される使用中アンテナについての反射波の大きさに相関する所定の物理量、該所定の物理量に関するしきい値、及び、使用中アンテナが該使用中アンテナ以外の代替アンテナに一時的に切り替えられた場合の該代替アンテナについての反射波の大きさに相関する所定の物理量に基づいて、送信に使用されるアンテナを選択する選択ステップと、移動機が、送信に使用されるアンテナを、選択ステップにて選択されたアンテナに切り替える切替ステップと、を有することを特徴とする。
【０００９】
以上の発明によれば、移動機において、複数のアンテナのうち送信に使用されている使用中アンテナから移動機内へ反射してくる反射波の大きさが検出され、該使用中アンテナについての反射波の大きさに相関する所定の物理量、該所定の物理量に関するしきい値、及び、使用中アンテナが代替アンテナに一時的に切り替えられた場合の該代替アンテナについての反射波の大きさに相関する所定の物理量に基づいて、送信に使用されるアンテナが選択され、送信に使用されるアンテナが、上記選択されたアンテナに切り替えられる。
【００１０】
ここでは例えば、使用中アンテナについての反射波の大きさに相関する所定の物理量が、該所定の物理量に関するしきい値を超えた場合に、使用中アンテナを代替アンテナに一時的に切り替えてみて、該代替アンテナについての反射波の大きさに相関する所定の物理量が使用中アンテナについての反射波の大きさに相関する所定の物理量以下の場合に、送信に使用されるアンテナとして代替アンテナを選択することができる。但し、一時的に切り替えた後、代替アンテナについての反射波の大きさに相関する所定の物理量が使用中アンテナについての反射波の大きさに相関する所定の物理量よりも大きい場合は、送信に使用されるアンテナとして、代替アンテナでなく使用中アンテナを選択し、使用中アンテナに切替戻すことができる。
【００１１】
例えば、本発明に係る移動機は、以下のような構成を採用することができる。即ち、本発明に係る移動機は、送信電力に応じた検波電圧値を測定する検波器をさらに備え、検出回路は、反射波についての反射波電圧値を検出し、アンテナ切替判定回路は、所定の物理量として、検波電圧値に対する反射波電圧値の比率を用いることで、使用中アンテナについての当該比率、当該比率に関するしきい値、及び、代替アンテナについての当該比率に基づいて、送信に使用されるアンテナを選択するよう構成することができる。
【発明の効果】
【００１２】
本発明によれば、移動機の使用状況に応じた使用アンテナの事前設定を不要としつつ、外部環境からの影響の少ない適切なアンテナを選択することができる。
【発明を実施するための最良の形態】
【００１３】
以下、本発明に係る実施形態について、図面を用いて説明する。
【００１４】
［第１実施形態］
まず、本発明に関連する移動機の構成として、送信アンテナの切替に関わる構成を図２により説明する。図２に示すように、移動機２０は、送信データを変調し送信信号を生成する送信回路４と、送信信号の信号電力を増幅する電力増幅器３と、送信信号の送信電力に応じた検波電圧値Ｖｏを測定する検波器１０と、後述するアイソレータ６と、送信に使用されるアンテナを選択するアンテナ選択部９と、送信に使用されるアンテナを切り替えるアンテナ切替器５と、複数の送信アンテナ１、２とを備えている。アイソレータ６は、前述した図１のサーキュレータ５７と同様のサーキュレータ７を備え、さらに、アイソレータ６内部の終端抵抗間に発生する電圧値の検出を行う電圧検出回路８を追加的に備えている。
【００１５】
アンテナ選択部９は、後述する反射波電圧値Vｒ、検波電圧値Ｖｏ、検波電圧値Ｖｏに対する反射波電圧値Vｒの比率（以後「電圧比Ｖｒ／Ｖｏ」という）、及び、後述する図３の処理における判定処理の回数の最大値Ｍを記録する記録部９Ａと、上記判定処理の回数をカウントし保持するカウント保持部９Ｂと、上記の電圧比Ｖｒ／Ｖｏに関する閾値Ｘを設定し保持する閾値設定部９Ｃと、上記判定処理を行う判定部９Ｄとを含んで構成される。このアンテナ選択部９は、ハードウェアとしては、例えば図６に示すようにバス２５を介して相互に接続された、ＣＰＵ２１、作業用メモリ２２、不揮発性メモリ２３及び入出力部２４を含んだマイクロコンピュータにより構成することができる。
【００１６】
次に、図２の移動機２０における動作を説明する。移動機２０では、送信回路４により送信データを変調して得られた送信信号は、電力増幅器３によって増幅される。増幅された送信信号は、検波器１０を介してサーキュレータ７の端子Ａに入力される。端子Ａから入力された送信信号はサーキュレータ７の端子Ｂから出力された後、アンテナ切替器５を介して、当該時点での使用中アンテナ（例えば送信アンテナ１）に供給される。
【００１７】
このとき使用中アンテナに人体などが接しておらず、使用中アンテナのインピーダンスが例えば電力増幅器と正しく整合している場合には、すべての送信信号は空中に放出され、サーキュレータ７の端子Ｂから端子Ｃへ向かう反射波は発生しないため、電圧検出回路８では反射波電圧は検出されない。一方、使用中アンテナに人体などが触れ、使用中アンテナのインピーダンスが変化した場合、該インピーダンスが例えば電力増幅器と整合しなくなり反射波が発生する。この反射波は、アンテナ切替器５を介してサーキュレータ７の端子Ｂから端子Ｃへ通過し、電圧検出回路８に入力されるため、電圧検出回路８により反射波電圧値Vｒが検出される。この反射波電圧値Vｒは、反射波の大きさに比例するため、電圧検出回路８により検出される反射波電圧値Vｒによって、使用中アンテナから放出されずに移動機２０内部へ戻ってくる反射波の大きさを検出することができる。
【００１８】
また、電力増幅器３による増幅後の送信信号の送信電力に応じた検波電圧値Ｖｏを検波器１０により測定することができるため、アンテナ選択部９は、電圧比Ｖｒ／Ｖｏによってアンテナ不整合状態の程度を推定することができる。
【００１９】
以下、アンテナ選択部９による制御の下で実行されるアンテナ選択に関する処理について図３を用いて詳細に説明する。まず、初期値設定が行われる（ステップＳ１）。例えば、記録部９Ａにより、反射波電圧値Vｒが０に、検波電圧値Ｖｏが１に、判定処理回数の最大値Ｍが１０００に、それぞれ初期設定される。
【００２０】
次に、閾値設定部９Ｃにより、上記の初期設定された反射波電圧値Vｒ及び検波電圧値Ｖｏから電圧比Ｖｒ／Ｖｏが算出され、該電圧比Ｖｒ／Ｖｏが閾値Ｘとして設定される。この例では、最初は閾値Ｘ＝０となる。また、カウント保持部９Ｂにより判定処理回数のカウント数Ｎが最大値Ｍに設定され、カウント数Ｎ＝１０００となる（ステップＳ２）。
【００２１】
次に、電圧検出回路８により検出された反射波電圧値Vｒ、及び検波器１０により測定された検波電圧値Ｖｏがアンテナ選択部９に入力され（ステップＳ３）、記録部９Ａにより記録される。そして、判定部９Ｄにより電圧比Ｖｒ／Ｖｏが算出され、該電圧比Ｖｒ／Ｖｏが閾値Ｘを超えているか否かが判定される（ステップＳ４）。
【００２２】
ここで、電圧比Ｖｒ／Ｖｏが閾値Ｘを超えていれば、判定部９Ｄはアンテナ切替器５により使用中アンテナを代替アンテナに切り替えさせる。また、このとき記録部９Ａにより切替前の電圧比Ｖｒ／Ｖｏが記録される（ステップＳ５）。
【００２３】
そして、ステップＳ２へ戻り、切替前の電圧比Ｖｒ／Ｖｏが閾値Ｘとして設定されるとともに、判定処理回数のカウント数Ｎが最大値Ｍに設定される。
【００２４】
次に、電圧検出回路８により検出された反射波電圧値Vｒ、及び検波器１０により測定された検波電圧値Ｖｏがアンテナ選択部９に入力され（ステップＳ３）、判定部９Ｄにより電圧比Ｖｒ／Ｖｏが算出され、該電圧比Ｖｒ／Ｖｏが閾値Ｘ（即ち、切替前の電圧比Ｖｒ／Ｖｏ）を超えているか否かが判定される（ステップＳ４）。
【００２５】
ステップＳ４で、電圧比Ｖｒ／Ｖｏが閾値Ｘを超えていなければ、切替後のアンテナの方が適切であると判断できるため、アンテナ切替は行わずに、カウント保持部９Ｂにより判定処理回数のカウント数Ｎが１つカウントダウンされる（ステップＳ６）。そして、カウント保持部９Ｂによりカウント数Ｎが０になったか否かが判定され（ステップＳ７）、カウント数Ｎが０になっていなければ、ステップＳ３へ戻り、ステップＳ３〜Ｓ６の処理が繰り返される。
【００２６】
一方、ステップＳ４で、電圧比Ｖｒ／Ｖｏが閾値Ｘを超えていると判定された場合は、現在の使用中アンテナよりも切替前のアンテナの方が適切であると判断できるため、ステップＳ５へ進み、切替前のアンテナへの戻しが行われる。これにより、適切でないアンテナへの切替により生ずる不都合を防止することができる。
【００２７】
このようにして各アンテナについての電圧比Ｖｒ／Ｖｏに応じて、複数のアンテナのうち適切なアンテナが選択されることとなり、該選択された適切なアンテナへの切替が行われる。
【００２８】
ところで、切替前のアンテナについて、使用中の外部の影響により一時的に電圧比Ｖｒ／Ｖｏが低下したものの、時間の経過とともに外部の影響が減少することで、切替前のアンテナが切替後（現状）のアンテナよりも適切なアンテナとなることがある。そこで、本実施形態では、以下のように定期的にアンテナ切替を発生しやすくしている。
【００２９】
即ち、図３のステップＳ７でカウント数Ｎが０になったと判定された場合、同じアンテナについて最大値Ｍ回（１０００回）連続してステップＳ４の判定処理が行われたことになるため、アンテナ切替を発生しやすくする目的で、以下の周期リセット処理が行われる（ステップＳ８）。即ち、閾値設定部９Ｃにより閾値Ｘが０にリセットされ、カウント保持部９Ｂにより判定処理回数のカウント数Ｎが最大値Ｍにリセットされる。そして、ステップＳ３へ戻り、ステップＳ３〜Ｓ６の処理が繰り返されるが、閾値Ｘが０に設定されているため、ステップＳ４では肯定判定され、ステップＳ５のアンテナ切替が行われることとなる。なお、ステップＳ８では、閾値Ｘを０にリセットすることに限定されるものではなく、想定しうる電圧比Ｖｒ／Ｖｏよりも低く設定された所定の値にリセットしてもよい。
【００３０】
このように定期的にアンテナ切替を発生しやすくすることで、切替前のアンテナについて時間の経過とともに外部の影響が減少し、切替前のアンテナが切替後（現状）のアンテナよりも適切なアンテナとなった場合でも、当該事象に応じて適切なアンテナが選択され、適切なアンテナへの切替が行われる。
【００３１】
なお、移動機２０がアンテナを３本以上備えた構成の場合においても、３本以上のアンテナを順次切り替えることで同様の効果が得られる。
【００３２】
以上説明した第１実施形態によれば、移動機の使用状況に応じた使用アンテナの事前設定を不要としつつ、外部環境からの影響の少ない適切なアンテナを選択することができる。また、移動機に設けられたアンテナが外部アンテナの場合には、仮に、送信周波数にて反射波量の大きい不正な外部アンテナが接続されたとしても、使用中アンテナの反射波の大きさ（本実施形態では電圧比Ｖｒ／Ｖｏ）を監視することで、不正な外部アンテナの接続といったアンテナの不正使用を防止することができる。
【００３３】
［第２実施形態］
上記の第１実施形態では、検波器１０により測定される検波電圧値Ｖｏをパラメータとして用いてアンテナの選択を行っているが、第２実施形態では、検波電圧値Ｖｏは用いずに反射波電圧値Vｒのみを用いてアンテナの選択を行う。
【００３４】
まず、本発明に関連する移動機の構成として、送信アンテナの切替に関わる構成を図４により説明する。図４に示すように、移動機３０は、送信データを変調し送信信号を生成する送信回路３４と、送信信号の信号電力を増幅する電力増幅器３３と、後述するアイソレータ３６と、送信に使用されるアンテナを選択するアンテナ選択部３９と、送信に使用されるアンテナを切り替えるアンテナ切替器３５と、複数の送信アンテナ３１、３２とを備えている。アイソレータ３６は、前述した図１のサーキュレータ５７と同様のサーキュレータ３７を備え、さらに、アイソレータ３６内部の終端抵抗間に発生する電圧値の検出を行う電圧検出回路３８を追加的に備えている。
【００３５】
アンテナ選択部３９は、反射波電圧値Vｒ及び後述する図５の処理における判定処理の回数の最大値Ｍを記録する記録部３９Ａと、上記判定処理の回数をカウントし保持するカウント保持部３９Ｂと、反射波電圧値Vｒに関する閾値Ｘを設定し保持する閾値設定部３９Ｃと、上記判定処理を行う判定部３９Ｄとを含んで構成される。このアンテナ選択部３９は、ハードウェアとしては、例えば図６に示すようにバス２５を介して相互に接続された、ＣＰＵ２１、作業用メモリ２２、不揮発性メモリ２３及び入出力部２４を含んだマイクロコンピュータにより構成することができる。
【００３６】
次に、図４の移動機３０における動作を説明する。移動機３０では、送信回路３４により送信データを変調して得られた送信信号は、電力増幅器３３によって増幅される。増幅された送信信号はサーキュレータ３７の端子Ａに入力される。端子Ａから入力された送信信号はサーキュレータ３７の端子Ｂから出力された後、アンテナ切替器３５を介して、当該時点での使用中アンテナ（例えば送信アンテナ３１）に供給される。
【００３７】
このとき使用中アンテナに人体などが接しておらず、使用中アンテナのインピーダンスが例えば電力増幅器と正しく整合している場合には、すべての送信信号は空中に放出され、サーキュレータ３７の端子Ｂから端子Ｃへ向かう反射波は発生しないため、電圧検出回路３８では反射波電圧は検出されない。一方、使用中アンテナに人体などが触れ、使用中アンテナのインピーダンスが変化した場合、該インピーダンスが例えば電力増幅器と整合しなくなり反射波が発生する。この反射波は、アンテナ切替器３５を介してサーキュレータ３７の端子Ｂから端子Ｃへ通過し、電圧検出回路３８に入力されるため、電圧検出回路３８により反射波電圧値Vｒが検出される。この反射波電圧値Vｒは、反射波の大きさに比例するため、電圧検出回路３８により検出される反射波電圧値Vｒによって、使用中アンテナから放出されずに移動機３０内部へ戻ってくる反射波の大きさを検出でき、アンテナ選択部３９は、反射波電圧値Vｒによってアンテナ不整合状態の程度を推定することができる。
【００３８】
以下、アンテナ選択部３９による制御の下で実行されるアンテナ選択に関する処理について図５を用いて詳細に説明する。まず、初期値設定が行われる（ステップＳ１１）。例えば、記録部３９Ａにより反射波電圧値Vｒが０に、判定処理回数の最大値Ｍが１０００に、それぞれ初期設定される。
【００３９】
次に、閾値設定部３９Ｃにより、上記の初期設定された反射波電圧値Vｒが閾値Ｘとして設定される。この例では、最初は閾値Ｘ＝０となる。また、カウント保持部３９Ｂにより判定処理回数のカウント数Ｎが最大値Ｍに設定され、カウント数Ｎ＝１０００となる（ステップＳ１２）。
【００４０】
次に、電圧検出回路３８により検出された反射波電圧値Vｒがアンテナ選択部３９に入力され（ステップＳ１３）、記録部３９Ａにより記録される。そして、判定部３９Ｄにより反射波電圧値Vｒが閾値Ｘを超えているか否かが判定される（ステップＳ１４）。
【００４１】
ここで、反射波電圧値Vｒが閾値Ｘを超えていれば、判定部３９Ｄはアンテナ切替器３５により使用中アンテナを代替アンテナに切り替えさせる。また、このとき記録部３９Ａにより切替前の反射波電圧値Vｒが記録される（ステップＳ１５）。
【００４２】
そして、ステップＳ１２へ戻り、切替前の反射波電圧値Vｒが閾値Ｘとして設定されるとともに、判定処理回数のカウント数Ｎが最大値Ｍに設定される。
【００４３】
次に、電圧検出回路３８により検出された反射波電圧値Vｒがアンテナ選択部３９に入力され（ステップＳ１３）、判定部３９Ｄにより反射波電圧値Vｒが閾値Ｘ（即ち、切替前の反射波電圧値Vｒ）を超えているか否かが判定される（ステップＳ１４）。
【００４４】
ステップＳ１４で、反射波電圧値Vｒが閾値Ｘを超えていなければ、切替後のアンテナの方が適切であると判断できるため、アンテナ切替は行わずに、カウント保持部３９Ｂにより判定処理回数のカウント数Ｎが１つカウントダウンされる（ステップＳ１６）。そして、カウント保持部３９Ｂによりカウント数Ｎが０になったか否かが判定され（ステップＳ１７）、カウント数Ｎが０になっていなければ、ステップＳ１３へ戻り、ステップＳ１３〜Ｓ１６の処理が繰り返される。
【００４５】
一方、ステップＳ１４で、反射波電圧値Vｒが閾値Ｘを超えていると判定された場合は、現在の使用中アンテナよりも切替前のアンテナの方が適切であると判断できるため、ステップＳ１５へ進み、切替前のアンテナへの戻しが行われる。これにより、適切でないアンテナへの切替により生ずる不都合を防止することができる。
【００４６】
このようにして各アンテナについての反射波電圧値Vｒに応じて、複数のアンテナのうち適切なアンテナが選択されることとなり、該選択された適切なアンテナへの切替が行われる。
【００４７】
ところで、切替前のアンテナについて、使用中の外部の影響により一時的に反射波電圧値Vｒが低下したものの、時間の経過とともに外部の影響が減少することで、切替前のアンテナが切替後（現状）のアンテナよりも適切なアンテナとなることがある。そこで、本実施形態では、以下のように定期的にアンテナ切替を発生しやすくしている。
【００４８】
即ち、図５のステップＳ１７でカウント数Ｎが０になったと判定された場合、同じアンテナについて最大値Ｍ回（１０００回）連続してステップＳ１４の判定処理が行われたことになるため、アンテナ切替を発生しやすくする目的で、以下の周期リセット処理が行われる（ステップＳ１８）。即ち、閾値設定部３９Ｃにより閾値Ｘが０にリセットされ、カウント保持部３９Ｂにより判定処理回数のカウント数Ｎが最大値Ｍにリセットされる。そして、ステップＳ１３へ戻り、ステップＳ１３〜Ｓ１６の処理が繰り返されるが、閾値Ｘが０に設定されているため、ステップＳ１４では肯定判定され、ステップＳ１５のアンテナ切替が行われることとなる。なお、ステップＳ１８では、閾値Ｘを０にリセットすることに限定されるものではなく、想定しうる反射波電圧値Vｒよりも低く設定された所定の値にリセットしてもよい。
【００４９】
このように定期的にアンテナ切替を発生しやすくすることで、切替前のアンテナについて時間の経過とともに外部の影響が減少し、切替前のアンテナが切替後（現状）のアンテナよりも適切なアンテナとなった場合でも、当該事象に応じて適切なアンテナが選択され、適切なアンテナへの切替が行われる。
【００５０】
なお、移動機３０がアンテナを３本以上備えた構成の場合においても、３本以上のアンテナを順次切り替えることで同様の効果が得られる。
【００５１】
以上説明した第２実施形態によれば、移動機の使用状況に応じた使用アンテナの事前設定を不要としつつ、外部環境からの影響の少ない適切なアンテナを選択することができる。また、移動機に設けられたアンテナが外部アンテナの場合には、仮に、送信周波数にて反射波量の大きい不正な外部アンテナが接続されたとしても、使用中アンテナの反射波の大きさ（本実施形態では反射波電圧値Vｒ）を監視することで、不正な外部アンテナの接続といったアンテナの不正使用を防止することができる。
【００５２】
なお、前述した第１、第２実施形態における閾値Ｘは、加工した値を用いてもよい。例えば、第１実施形態の電圧比Ｖｒ／Ｖｏ又は第２実施形態の反射波電圧値Vｒに一定値を加えたり、積算したり、あるいは、上記の電圧比Ｖｒ／Ｖｏや反射波電圧値Vｒにおける小数点以下の切り上げや整数部分１桁目の切り上げ等を行って得られた値を閾値Ｘとしてもよい。上記のような閾値Ｘの加工は、切替前の電圧比Ｖｒ／Ｖｏや反射波電圧値Vｒの記録と同じタイミングで行ってもよいし、また、その際には、加工後の閾値Ｘのみを記録してもよいし、切替前の電圧比Ｖｒ／Ｖｏや反射波電圧値Vｒと加工後の閾値Ｘとを一緒に記録してもよい。
【図面の簡単な説明】
【００５３】
【図１】従来の移動機における送信アンテナの切替に関わる構成を示す図である。
【図２】第１実施形態の移動機における送信アンテナの切替に関わる構成を示す図である。
【図３】第１実施形態のアンテナ選択に関する処理を示すフロー図である。
【図４】第２実施形態の移動機における送信アンテナの切替に関わる構成を示す図である。
【図５】第２実施形態のアンテナ選択に関する処理を示すフロー図である。
【図６】第１、第２実施形態のアンテナ選択部のハードウェア構成図である。
【符号の説明】
【００５４】
１、２、３１、３２、５１、５２…送信アンテナ、３、３３、５３…電力増幅器、４、３４、５４…送信回路、５、３５、５５…アンテナ切替器、６、３６、５６…アイソレータ、７、３７、５７…サーキュレータ、８、３８…電圧検出回路、９、３９…アンテナ選択部、９Ａ、３９Ａ…記録部、９Ｂ、３９Ｂ…カウント保持部、９Ｃ、３９Ｃ…閾値設定部、９Ｄ、３９Ｄ…判定部、１０…検波器、２０、３０、５０…移動機、２１…ＣＰＵ、２２…作業用メモリ、２３…不揮発性メモリ、２４…入出力部、２５…バス、５６Ａ…終端抵抗。
【図１】
2008306575.tif 000003
【図２】
2008306575.tif 000004
【図３】
2008306575.tif 000005
【図４】
2008306575.tif 000006
【図５】
2008306575.tif 000007
【図６】
2008306575.tif 000008